(57)【要約】【課題】遊技機の組み付けの生産性及び耐久性を向上させ、デザイン性の発揮及びデザインの自由度の向上を図る。【解決手段】外枠２と、該外枠に対して開閉自在に取り付けられ、遊技盤２２を設けた内枠２０と、前記遊技盤の前方を覆う透明板３１と、景品球を貯留する上皿３４と、景品球及びファール球を受ける下皿２４と、を有し、該下皿が前記内枠に突設された遊技機１０において、前記透明板と前記上皿と開口部３６とが一体的に設けた前面扉３０を備え、該前面扉は、前記内枠に対して開閉自在に取り付け、且つ、該閉時に前記内枠の前方を覆うように形成し、前記開口部は、前記前面扉の閉時に前記下皿から前記球が取り出し可能に下皿と対向配置した位置に形成する。【選択図】図２
2008000542.tif 000002
【特許請求の範囲】
【請求項１】
外枠と、
該外枠に対して開閉自在に取り付けられ、遊技盤を設けた内枠と、
前記遊技盤の前方を覆う透明板と、
景品球を貯留する上皿と、
景品球及びファール球を受ける下皿と、
を有し、該下皿が前記内枠に突設された遊技機において、
前記透明板と前記上皿と開口部とが一体的に設けられた前面扉を備え、
該前面扉は、前記内枠に対して開閉自在に取り付けられ、且つ、該閉時に前記内枠の前方を覆うように形成され、
前記開口部は、前記前面扉の閉時に前記下皿から前記球が取り出し可能に下皿と対向配置した位置に形成したことを特徴とする遊技機。
【発明の詳細な説明】
【技術分野】
【０００１】
本発明は、パチンコ機、パチスロ機などの遊技機に係り、特に組み付けの生産性や耐久性に優れ、デザイン性の発揮及びデザインの自由度を向上させるのに好適な前面側の扉を有する遊技機に関する。
【背景技術】
【０００２】
一般に遊技機は、パチンコ店内のいわゆる島（設置島）に並設されているため、遊技中における球詰まり等の様々なトラブルに即座に対応できるよう、又、メンテナンスがしやすいように、個々の遊技機が構成されている。例えば図１（Ａ）及び（Ｂ）に示される遊技機１の場合、設置島に固定される外枠２に対して開閉自在に、遊技盤３を収納する遊戯盤収納部４Ａを裏面に設けた内枠４が取付けられ、この内枠４に対して開閉自在になるように遊技盤３の前方を覆うガラス板５を保持するガラス扉６と、景品球を貯留する上皿７Ａを設けた上皿扉７とが取付けられ、遊技機１が構成されている。又、トラブルの対処中、球が機外へこぼれることがないように、景品球等を受ける下皿８Ａ及び発射ハンドル８Ｂを設けた下皿前面板８が、内枠４に対して固定され、開閉不可能な構造で構成されている。このような遊技機１は、例えば特許文献１に開示されている。
【０００３】
又、遊技機の業界においては、他社の製品との差別化や遊技者に遊技機を選定させるために、デザイン面も重要視しており、デザインやレイアウトが十分発揮できるような構造の面でのバックアップも必要となってきている。例えば特許文献２には、デザインの変更が容易にできるようにされた、上皿及び下皿を覆うように別体の装飾カバーを前枠に備えた遊技機が開示されている。
【０００４】
【特許文献１】特開平９−５６９０６号公報
【特許文献２】特開２００３−５２９８３号公報
【発明の開示】
【発明が解決しようとする課題】
【０００５】
しかしながら、従来の遊技機の場合は、ガラス扉６と上皿扉７と下皿扉８とは、別部品であるため、部品点数が多く、組み付け工数がかかり、生産性の向上が充分図れず、コスト高の要因でもあった。特に近年は、遊技領域を大きくする要望があり、ガラス扉６下端を下方向へ下げる必要性が高くなっているが、内枠４に対してそれぞれ開閉自在であるガラス扉６と上皿扉７、内枠４に対して固定された下皿前面板８とは、別部品であるため、スムーズに開閉可能なように構造上隙間が必要であり、ガラス板５を大きくして、ガラス扉６の下端を下方向へ下げようとしても、ガラス扉６のガラス板５に対する保持力や耐久性の面で、技術的に限界が生じていた。
【０００６】
又、特許文献１に記載の遊技機の場合、これらの扉が別部品で構成され、それぞれの間に隙間があるため、連続したデザインが途切れる、デザイン設計段階から分割線を意識するなどのデザイン上の制約のため、装飾性（デザイン性）を充分に発揮できないという問題があった。更に別部品で構成されていることから、ガラス板５と上皿７Ａ、並びに、上皿７Ａと下皿８Ａの間に部品構成上、距離をおく必要があり、レイアウト上の制約ともなっている。
【０００７】
一方、特許文献２に記載の発明では、カバーという部品が増える上、トラブルへの対処時にまずカバーを開け、更に窓枠を開ける必要があった。
【０００８】
本発明は、前記従来の問題点を解消すべくなされたもので、組み付けの生産性及び耐久性を向上させ、デザイン性の発揮及びデザインの自由度を向上できるようにすることを課題とする。
【課題を解決するための手段】
【０００９】
本発明は、外枠と、該外枠に対して開閉自在に取り付けられ、遊技盤を設けた内枠と、前記遊技盤の前方を覆う透明板と、景品球を貯留する上皿と、景品球及びファール球を受ける下皿と、を有し、該下皿が前記内枠に突設された遊技機において、前記透明板と前記上皿と開口部とが一体的に設けた前面扉を備え、該前面扉は、前記内枠に対して開閉自在に取り付け、且つ、該閉時に前記内枠の前方を覆うように形成し、前記開口部は、前記前面扉の閉時に前記下皿から前記球が取り出し可能に下皿と対向配置した位置に形成することで、前記課題を解決したものである。
【発明の効果】
【００１０】
本発明によれば以下の効果が得られる。
【００１１】
（１）前面扉として一体的に形成されているため部品点数が少なく、組み付け工数が少ないので、取付が容易で生産数が向上し、低コストで遊技機を製造することができる。
【００１２】
（２）前面扉は一体的に形成されているため従来の遊技機におけるガラス扉と上皿扉と下皿前面板との間の隙間や切れ目のようなものが構造上ないので、デザイン上の制約がなくなり、装飾デザインの自由度に優れ、耐久性を保ちながらデザイン性を発揮させることができる。
【００１３】
（３）透明板と上皿との距離、及び、上皿と下皿との距離を短くすることができるので、レイアウト上の制約がなくなり、遊技領域を大きくすることが可能で、遊技機のデザインの自由度も向上する。
【発明を実施するための最良の形態】
【００１４】
以下、図面を参照して、本発明の第１実施形態について説明する。
【００１５】
（第１実施形態）
図２（Ａ）及び（Ｂ）に示される如く、本発明の第１実施形態に係る遊技機１０の本体は、外枠２と内枠２０と本発明の前面扉である一体ガラス扉３０とから構成され、内枠２０には、遊技盤２２を収める収納部２０Ａと下皿２４と発射ハンドル２６とが設けられ、一体ガラス扉３０には、透明板であるガラス板３１を保持する保持部３２と上皿３４と開口部３６と下皿カバー部３７とが設けられている。
【００１６】
内枠２０は、外枠２に対して、開閉自在にヒンジ（図示せず）により取付けられ、一体ガラス扉３０は、内枠２０に対して開閉自在にヒンジにより取り付けられ、閉時には内枠２０の前方を覆うように形成されている。
【００１７】
遊技盤２２は、従来のものより、遊技領域が大きく、これに合わせて収納部２０Ａも大きくなっている。下皿２４は、内枠２０に突設されている。
【００１８】
ガラス板３１は、遊技盤２２に対応して従来より大きく、これに合わせて保持部３２も大きくなっている。
【００１９】
上皿３４は、保持部３２下方の一体ガラス扉３０に、突設されている。
【００２０】
開口部３６は、一体ガラス扉３０を閉めたとき、内枠２０に突設された下皿２４が嵌合するように下皿２４と対向配置した位置に形成され、該開口部３６から前方に突出した下皿２４から球を取り出すことができるようになっている。
【００２１】
下皿カバー部３７は、球が取り出せるよう下皿２４の上面を塞がないように、且つ、一体ガラス扉３０の閉時に突出した下皿２４と嵌合するように形成され、しかも上皿３４下方の一体ガラス扉３０に開口部３６から連続した形状に突設されている。
【００２２】
発射ハンドル２６は、下皿２４の右方の内枠２０に突設され、これに対応し、一体ガラス扉３０の右隅に、発射ハンドル２６が突出できるように欠け部３８が設けられている。
【００２３】
一体ガラス扉３０は、従来の遊技機１のように、ガラス扉６及び上皿扉７が開閉し、下皿前面板８が固定されていたのとは違い、図２（Ａ）及び（Ｂ）に示される如く、内枠２０に対して一体的に開閉でき、閉時に内枠２０の前方を覆い、一体ガラス扉３０の側部３０Ａが内枠２０を側部２０Ｂに被さるように覆う。そのため、内枠２０の遊技盤２２以外の部分は、目視できなくなる。又、閉時に下皿２４が開口部３６からぶつからず突出し、欠け部３８に干渉せずに発射ハンドル２６が突出し、下皿カバー部３７が、下皿２４の上面を塞がらないように覆い嵌合する。一体ガラス扉３０を開ける際は、開口部３６から下皿２４が抜け、発射ハンドル２６は残される。
【００２４】
したがって、従来のガラス扉６と上皿扉７と下皿前面板８とのように分離されずに、前面扉である一体ガラス扉３０は一体的に形成されているため、部品点数が少なく、組み付け工数を少なくすることができるので、取付けが容易で、生産性を向上し、低コストで遊技機１０を製造することができる。
【００２５】
又、一体ガラス扉３０は一体的に形成されているため従来の遊技機１におけるガラス扉６と上皿扉７と下皿前面板８との間の隙間や切れ目のようなものが構造上ないので、デザイン上の制約がなくなり、装飾デザインの自由度に優れ、耐久性を保ちながらデザイン性を発揮させることができる。
【００２６】
又、透明板であるガラス板３１と上皿３４との距離、及び上皿３４と下皿２４との距離を短くすることができるので、レイアウト上の制約がなくなり、遊技領域を大きくすることが可能で、遊技機１０のデザインの自由度も向上する。
【００２７】
又、一体ガラス扉３０は、一体的に形成されているため、一体ガラス扉３０を交換することでデザインを容易に変えることができる。
【００２８】
又、一体ガラス扉３０の開口部３６及び下皿カバー部３７は、閉時、下皿２４の上面を塞がないので、遊技中のトラブルにより一体ガラス扉３０を開けた際に、景品球の払い出し動作を行っても、球を機外へこぼすことなく、下皿２４に球の払い出しができる。
【００２９】
又、発射ハンドル２６は、遊技中のトラブルにより一体ガラス扉３０を開ける際に、欠け部３８があるので遊技者が発射ハンドル２６を持ったままでも開閉ができる。
【００３０】
なお、発射ハンドル２６は、内枠側に設けることが望ましく、このようにすると遊技者が球飛び位置、つまり発射力を変えたくない場合や、ハンドル位置を動かしたくない場合に対処が可能である。一般的には、発射ハンドル２６の近くに発射停止ボタン（図示せず）があり、発射ハンドル２６を握ったまま、発射停止ボタンを押すと、発射ハンドル２６を握ったままでも発射を停止することができる。
【００３１】
又、ガラス板は、アクリル板、強化プラスチックといった透明の材質のものでもよい。
【００３２】
（第２実施形態）
図３（Ａ）及び（Ｂ）に示される如く、本発明の第２実施形態に係る遊技機１２は、下皿カバー部３７がなく、閉時に一体ガラス扉３０の下皿２４に対する開口部３６の正面から下皿２４が突出し、下皿２４上面以外も目視できるようになっている。下皿カバー部３７が無いため、作製が容易になる。
【００３３】
（第３実施形態）
図４（Ａ）及び（Ｂ）に示される如く、本発明の第３実施形態に係る遊技機１４は、発射ハンドル３９を一体ガラス扉３０に突設させたもので、一体ガラス扉３０の開閉が容易になる。
【図面の簡単な説明】
【００３４】
【図１】従来の遊技機の（Ａ）ガラス扉及び上皿扉を閉じた状態を示す斜視図及び（Ｂ）ガラス扉及び上皿扉を開けた状態を示す斜視図
【図２】本発明の第１実施形態に係る遊技機の（Ａ）一体ガラス扉を閉じた状態を示す斜視図及び（Ｂ）一体ガラス扉を開けた状態を示す斜視図
【図３】本発明の第２実施形態に係る遊技機の（Ａ）一体ガラス扉を閉じた状態を示す斜視図及び（Ｂ）一体ガラス扉を開けた状態を示す斜視図
【図４】本発明の第３実施形態に係る遊技機の（Ａ）一体ガラス扉を閉じた状態を示す斜視図及び（Ｂ）一体ガラス扉を開けた状態を示す斜視図
【符号の説明】
【００３５】
２…外枠
１０…遊技機
２０…内枠
２２…遊技盤
２４…下皿
３０…一体ガラス扉（前面扉）
３１…ガラス板（透明板）
３４…上皿
３６…開口部
【図１】
2008000542.tif 000003
【図２】
2008000542.tif 000004
【図３】
2008000542.tif 000005
【図４】
2008000542.tif 000006